(57)【特許請求の範囲】
【請求項１】
シーケンスデータ及び音色データに基づいて楽曲の再生を行う音源に対し、シーケンスデータ及び音色データを出力する楽曲データ処理装置において、
シーケンスデータを記憶するとともに、一のシーケンスデータに対応させて、少なくとも基本音色データを含む一または複数の音色データを記憶するデータ記憶手段と、
表示手段と、
指定された曲番号に対応した楽曲において設定可能な楽器音色についての階層化された複数の選択項目を上位層から下位層に向けて前記表示手段に順次表示し、各層での選択項目の選択指示を受け取り、選択指示を受け取った各層の各選択項目の組に対応付けられたユーザ設定音色データを、前記指定された曲番号とともに記録媒体に記録する記録手段と、
外部からの指示に従って、前記記録媒体から曲番号およびユーザ設定音色データを受け取り、該曲番号により特定されるシーケンスデータに対応付けて該ユーザ設定音色データを前記データ記憶手段に格納する音色データ設定手段と、
外部からの指示に従って、一のシーケンスデータおよび該シーケンスデータに対応した前記一または複数の音色データのうち一の音色データを前記データ記憶手段から読み出して前記音源に出力する手段であって、該シーケンスデータに対応付けてユーザ設定音色データが前記データ記憶手段に記憶されている場合には該ユーザ設定音色データを前記音源に出力するデータ選択出力手段と
を備えたことを特徴とする楽曲データ処理装置。
【請求項２】
シーケンスデータ及び音色データに基づいて楽曲の再生を行う音源に対し、シーケンスデータ及び音色データを出力する楽曲データ処理装置の制御方法において、
指定された曲番号に対応した楽曲において設定可能な楽器音色についての階層化された複数の選択項目を上位層から下位層に向けて表示手段に順次表示し、各層での選択項目の選択指示を受け取り、選択指示を受け取った各層の各選択項目の組に対応付けられたユーザ設定音色データを、前記曲番号とともに記録媒体に記録する記録過程と、
外部からの指示に基づいて、前記記録媒体からユーザ設定音色データを受け取り、該ユーザ設定音色データに対応した曲番号の楽曲のシーケンスデータに対応させてデータ記憶手段に格納する音色データ設定過程と、
外部からの指示に従って、一のシーケンスデータおよび該シーケンスデータに対応した前記一または複数の音色データのうち一の音色データを前記データ記憶手段から読み出して前記音源に出力する過程であって、該シーケンスデータに対応付けてユーザ設定音色データが前記データ記憶手段に記憶されている場合には該ユーザ設定音色データを前記音源に出力するデータ選択出力過程と
を備えたことを特徴とする楽曲データ処理装置の制御方法。
【発明の詳細な説明】
【０００１】
【発明の属する技術分野】
本発明は、楽曲データ処理装置及び楽曲データ処理装置の制御方法に係り、特にいわゆるカラオケ装置に用いて好適な楽曲データ処理装置及び楽曲データ処理装置の制御方法に関する。
【０００２】
【従来の技術】
従来のカラオケ装置は、カラオケ装置のコントローラから楽曲の曲番号を入力すると、スピーカから楽曲の楽音が流れ楽曲の歌詞テロップがカラオケ用モニタに映し出されるようになっている。このようなカラオケ装置においては、別途の曲目リストを参照して所望の曲の曲番号を調べ、この曲番号を装置側に入力することにより選曲が行われている。
ところで、上記従来のカラオケ装置としては、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）音源を用いたものが知られている。
ＭＩＤＩ音源を用いたカラオケ装置は、予め設定した楽曲データに基づいて音源装置を制御し、カラオケ演奏を行っている。
この楽曲データは、音色を設定するための音色データや、音高、発音時間などを時系列に記憶したシーケンスデータを含んで構成されており、楽曲データに基づいて音源装置を制御することにより、実際の楽曲の演奏を行わせている。
【０００３】
［１］  第１改良従来例
ところで、カラオケ歌唱者は、個人的によく歌う曲が決まっている場合が多いが、従来のカラオケ装置では毎回同一の曲を歌う場合でもその都度、曲目リストで曲番号を調べて入力しなければならず、歌唱者にとって手間がかかるという問題点があった。
そこで、このような状態に対応すべく、従来のカラオケ装置においては、磁気カードあるいはＩＣカードなどの携帯可能な記録媒体を用い、歌唱者の好みの曲に対応する曲番号データを記録しておき、カラオケ装置側で記録媒体を読み取ることにより歌唱者の選曲時の入力の手間を軽減するものが提案されている。
【０００４】
［２］  第２改良従来例
また、上記従来のカラオケ装置では、同一の楽曲を再生する場合には、常に同一の演奏態様となるためマンネリ化が避けられないという問題点があった。
そこで、これに対処すべく、同一の楽曲に対し、複数のアレンジ曲（一部のパートをアレンジしたものも含む）を用意しておき、歌唱者の好みのアレンジ曲を選択して演奏を行うカラオケ装置が提案されている。
【０００５】
【発明が解決しようとする課題】
上記第１改良従来例のカラオケ装置においては、歌唱者が異なる場合であっても、同一の曲番号の楽曲を選択した場合には、同一のアレンジあるいは同一の音色で楽曲を再生するだけであり、各歌唱者毎に好みのアレンジあるいは好みの音色で再生を行うことはできないという問題点があった。
また、上記第２改良従来例のカラオケ装置においては、同一の曲であっても、アレンジが異なれば、別の曲として扱われるため、複数のシーケンスデータが必要となり、楽曲を格納するためのハードディスクなどの外部記憶装置あるいは、演奏時に用いるＲＡＭなどのメモリの容量が必要となるという問題点があった。
【０００６】
そこで、本発明の第１の目的は、各歌唱者毎にオリジナリティのある、すなわち、異なる音色で楽曲を再生させることが可能な楽曲データ処理装置及び楽曲データ処理装置の制御方法を提供することにある。また、本発明の第２の目的は、同一のシーケンスデータを用いて、異なるアレンジの曲再生を行うことが可能なカラオケ装置を提供することにある。
【０００７】
【課題を解決するための手段】
上記課題を解決するため、この発明は、シーケンスデータ及び音色データに基づいて楽曲の再生を行う音源に対し、シーケンスデータ及び音色データを出力する楽曲データ処理装置において、シーケンスデータを記憶するとともに、一のシーケンスデータに対応させて、少なくとも基本音色データを含む一または複数の音色データを記憶するデータ記憶手段と、表示手段と、指定された曲番号に対応した楽曲において設定可能な楽器音色についての階層化された複数の選択項目を上位層から下位層に向けて前記表示手段に順次表示し、各層での選択項目の選択指示を受け取り、選択指示を受け取った各層の各選択項目の組に対応付けられたユーザ設定音色データを、前記指定された曲番号とともに記録媒体に記録する記録手段と、外部からの指示に従って、前記記録媒体から曲番号およびユーザ設定音色データを受け取り、該曲番号により特定されるシーケンスデータに対応付けて該ユーザ設定音色データを前記データ記憶手段に格納する音色データ設定手段と、外部からの指示に従って、一のシーケンスデータおよび該シーケンスデータに対応した前記一または複数の音色データのうち一の音色データを前記データ記憶手段から読み出して前記音源に出力する手段であって、該シーケンスデータに対応付けてユーザ設定音色データが前記データ記憶手段に記憶されている場合には該ユーザ設定音色データを前記音源に出力するデータ選択出力手段とを備えたことを特徴とする楽曲データ処理装置を提供する。
また、この発明は、シーケンスデータ及び音色データに基づいて楽曲の再生を行う音源に対し、シーケンスデータ及び音色データを出力する楽曲データ処理装置の制御方法において、指定された曲番号に対応した楽曲において設定可能な楽器音色についての階層化された複数の選択項目を上位層から下位層に向けて表示手段に順次表示し、各層での選択項目の選択指示を受け取り、選択指示を受け取った各層の各選択項目の組に対応付けられたユーザ設定音色データを、前記曲番号とともに記録媒体に記録する記録過程と、外部からの指示に基づいて、前記記録媒体からユーザ設定音色データを受け取り、該ユーザ設定音色データに対応した曲番号の楽曲のシーケンスデータに対応させてデータ記憶手段に格納する音色データ設定過程と、外部からの指示に従って、一のシーケンスデータおよび該シーケンスデータに対応した前記一または複数の音色データのうち一の音色データを前記データ記憶手段から読み出して前記音源に出力する過程であって、該シーケンスデータに対応付けてユーザ設定音色データが前記データ記憶手段に記憶されている場合には該ユーザ設定音色データを前記音源に出力するデータ選択出力過程とを備えたことを特徴とする楽曲データ処理装置の制御方法を提供する。
【００１４】
【発明の実施の形態】
次に本発明の好適な実施形態について、図面を参照して説明する。
［１］  実施形態の構成
［１．１］  実施形態の概要構成
図１に本発明の実施形態のカラオケ装置の概要構成を示すブロック図を示す。カラオケ装置１００は、登録された曲に関する登録データを書き換え可能に記録保存するための携帯可能なカード形状を有する個人カード１を備えて構成されている。ここで登録データとは、登録曲番号ａや、該登録曲番号ａに対応付けられたユーザ設定音色データｂ等の、ユーザが設定登録したデータのことを言う。
【００１５】
さらにカラオケ装置１００は、個人カード１との間で赤外線などの無線による登録データの送受信を行うためのインターフェース動作を行うカードインターフェース２と、楽曲データ処理装置全体の動作を制御し、各種データの処理を行う制御部３と、曲番号毎に楽曲データを複数記憶することが可能なるハードディスク（ＨＤ）５と、各種データの入力操作を行うための入力部６と、各種データの表示を行う表示部７と、個人カード１から入力された登録曲番号ａに対応する楽曲データ（ユーザ設定音色データｂ、オリジナル音色データｃ、初期設定データｄ及びシーケンスデータｅ）をハードディスク５からダウンロードし、一時的に記憶するＲＡＭ８と、ユーザー設定音色データｂがＲＡＭ８に送信されたかどうかを判別し、判別結果に基づいてユーザ設定音色データｂまたはオリジナル音色データｃを後述する音源装置１０に出力する音色データ変更部９と、音色データ変更部９を介してＲＡＭ８から入力されるユーザ設定音色データｂまたはオリジナル音色データｃ並びにＲＡＭ８から入力される初期設定データｄ及びシーケンスデータｅに基づいて実際の発音を行い、楽曲の再生をするための音源装置１０と、を備えて構成されている。
【００１６】
［１．２］  ＲＡＭのデータ格納状態
ここで、ＲＡＭ８のデータ格納状態について説明する。
ＲＡＭ８にはハードディスク４からダウンロードされた楽曲データのうち、オリジナル音色データｃを一時的に記憶するオリジナル音色データ記憶領域ＡＲｃと、ハードディスク４からダウンロードされた楽曲データのうち初期設定データｄを一時的に記憶する初期設定データ記憶領域ＡＲｄとハードディスク４からダウンロードされた楽曲データのうち、シーケンスデータｅを一時的に記憶するシーケンスデータ記憶領域ＡＲｅと、ユーザー設定音色データｂを一時的に記憶するユーザ設定音色データ記憶領域ＡＲｂとが設けられている。
【００１７】
［２］実施形態の動作
次に実施形態の動作を説明する。なお、以下の説明においては、入力部６と表示部７とは、タッチパネルのように一体となっている場合について説明する。
［２．１］  エディットモード
まずカラオケ装置１００における再生動作の説明に先立ち、オリジナリティのある曲の再生に必要な音色設定を行うためのエディットモードにおける音色設定動作について図２を参照して説明する。
【００１８】
［２．１．１］  音色設定動作の概要
図２（Ａ）、（Ｂ）、（Ｃ）は、本発明のカラオケ装置１００において、エディットモード動作時に表示部７に表示される表示画面の一例を示す図である。
まず最初に入力部６を介して曲番号を入力すると、エディットモードの第１設定段階の画面が表示部７に表示される（図２（Ａ）参照）。
この第１設定段階では、入力した曲番号に対応する楽曲において選択可能な楽器音色についての選択項目が表示される。
より具体的には、図２（Ａ）においては、アコースティックギターの楽器名により、音色設定のための選択項目が表示されている。なお、表示されている楽器名の中に所望の楽器名が存在しない場合には、入力部６を構成している前画面表示キー６Ａあるいは次画面表示キー６Ｂを操作することにより、他の選択画面が表示されることとなる。
【００１９】
所望の選択画面が表示された場合には、歌唱者（ユーザ）は、選択画面中の選択項目の中から所望の楽器音色に対応する選択項目番号（図２（Ａ）で選択可能な選択番号（Ｎｏ．））を入力部６を介して入力する。
第１設定段階の設定項目番号の入力が完了すると、表示部７の表示画面には第２設定段階の選択項目が表示される（図２（Ｂ）参照）。
この第２設定段階では、第１設定段階で設定した選択項目（楽器）についてのさらに詳細な設定をする選択項目が表示されている。
より具体的には、図２（Ｂ）では、図２（Ｂ）で選択したアコースティックギターに対応する弦ゲージについての選択項目が表示されている。
歌唱者は、選択画面中の選択項目の中から所望の音色に対応する選択項目番号を入力部６を介して入力する。
【００２０】
これにより第２設定段階の設定項目番号の入力が完了すると、表示部７の表示画面には、さらに第３設定段階の選択項目が表示される（図２（Ｃ）参照）。
この第３設定段階では、第２設定段階で設定した選択項目（弦ゲージ）についてのさらに詳細な設定をする選択項目が表示されている。
より具体的には、図２（Ｃ）では、図２（Ｂ）で選択した弦ゲージに対応する弦素材についての選択項目が表示されており、歌唱者は、選択画面中の選択項目の中から所望の音色に対応する選択項目番号を入力部６を介して入力することとなる。以下、同様にして、階層構造にて表示される選択画面に表示されている選択項目の中から所望の選択項目の番号を入力することにより、歌唱者の所望の音色の設定処理を行うこととなる。
以上の説明のように、全ての設定段階に於ける選択項目番号の入力が完了すると、選曲した楽曲についての音色の設定が決定されることとなる。
より具体的には、図２のアコースティックギターの音色設定においては図２（Ｃ）に表示されている選択項目番号の入力が完了すると、選曲した曲に対応する楽器音色の設定が確定することとなる。
【００２１】
［２．１．２］  具体的音色設定動作
次に、図２を参照して、より具体的な動作を説明する。
例えば、ギター演奏を含む楽曲においては、第１設定段階では図２（Ａ）において示したように、ギターの種類（表示例では５種類）が選択可能である。
また、第２設定段階においては、弦ゲージの選択（表示例では５種類）が可能である。
さらに、第３設定段階においては、弦素材の選択（表示例では２種類）が可能である。
この結果、アコースティックギターについては、５×５×２＝５０通りの音色設定が可能となる。
【００２２】
例えば、ギターの音色を、「Ｍａｒｔｉｎ  Ｄ４５」の「コンパウンドゲージ」で「ナイロン弦」に設定したいときは、順番に選択番号（Ｎｏ．）３→１→２を入力していけばよい。
このようにして歌唱者毎に楽曲の音色を簡単な操作で詳細に設定することができる。
以上説明したようにして設定されたユーザ設定音色データは、ＲＡＭ８のユーザ設定音色データ記憶領域ＡＲｂに書き込まれるとともに、各ユーザの保管する個人カード１にも記録される。個人カードに記録されたユーザ設定音色データＤは、次回同じ曲を前回設定した音色で歌いたい時に個人カード１からカラオケ装置側にロードし楽曲の再生を行うことによって、再度ユーザがユーザ設定音色データを入力する必要がなくなり、データ入力の手間を削減することができる。
このユーザ設定音色データは、個人カードとカラオケ装置側のカードデータ送受信機２との間で、例えば、赤外線通信等によって送受信される。
【００２３】
［２．２］  通常再生モード
次に通常再生モードにおける動作について説明する。
図３に本実施形態の通常再生モードにおける動作フローチャートを示す。
まず最初に、歌唱者は歌いたい曲、すなわち再生させたい楽曲の曲番号を入力して選曲を行う（ステップＳ１）。曲番号は入力部６から入力されるか、もしくは前記個人カード１に登録され記憶されている登録曲番号（ａ）をカードデータ送受信機２を介して入力することにより行われる。
選曲が行われると、制御部３は曲番号を含む選曲情報に基づいてハードディスク４に記憶されている該曲番号に対応する楽曲データをＲＡＭ８に送信するように指令を出す。
これにより、ＲＡＭ８には、ハードディスク４から入力した曲番号に対応する、オリジナル音色データｃ、初期設定データｄ、シーケンスデータｅを含む楽曲データがダウンロードされる（ステップＳ８）。この場合において、ＲＡＭ８に転送された楽曲データは、オリジナル音色データｃについては、オリジナル音色データ記憶領域ＡＲｃに記憶され、初期設定データｄについては、初期設定データ記憶領域ＡＲｄに記憶され、シーケンスデータｅについては、シーケンスデータ記憶領域ＡＲｅに記憶されることとなる。
【００２４】
さらに、歌唱者が以前に個人カード１に登録したユーザ設定音色データｂに基づいて楽曲を再生させたいと望む場合には、当該旨のリクエストを入力部６を介して行うことにより、制御部３は、カードインターフェース部２を介して個人カード１からユーザー設定音色データｂを読み出し（ロードし）、ＲＡＭ８のユーザ設定音色領域ＡＲｂに記憶させることとなる（ステップＳ２）。
次に制御部３の制御下で、楽曲データの初期設定データｄがＲＡＭ８の初期設定データ記憶領域ＡＲｄから音源装置１０に出力される（ステップＳ３）。
これと並行して、音色データ変更部９は、再生を行おうとしている曲の曲番号に対応するユーザー設定音色データｂがＲＡＭ８のユーザ設定音色データ記憶領域ＡＲｂに読み出されている（ロードされている）か否かを判別する（ステップＳ４）。
ステップＳ４の判別において、再生を行おうとしている曲の曲番号に対応するユーザー設定音色データｂがＲＡＭ８のユーザ設定音色データ記憶領域ＡＲｂに読み出されている（ロードされている）場合には（ステップＳ４；Ｙｅｓ）、オリジナル音色データｃに代えてユーザ設定音色データｂをユーザ設定音色データ記憶領域ＡＲｂから読み出し、音源装置１０に出力する（ステップＳ６）。
【００２５】
ステップＳ４の判別において、再生を行おうとしている曲の曲番号に対応するユーザー設定音色データｂがＲＡＭ８のユーザ設定音色データ記憶領域ＡＲｂに読み出されていない（ロードされていない）場合には（ステップＳ４；Ｎｏ）、オリジナル音色データ記憶領域ＡＲｃからオリジナル音色データｃを読み出し、音源装置１０に出力することとなる（ステップＳ５）。
次に制御部３の制御下で、ＲＡＭ８のシーケンスデータ記憶領域ＡＲｅからシーケンスデータｅがよみだされ、音源装置１０に出力される（ステップＳ７）。これらの結果、音源装置１０は、初期設定データｄにより、各種初期設定がなされた状態で、ユーザ設定音色データｂあるいはオリジナル音色データｃに対応する音色を用いて、シーケンスデータｅに対応する手順で楽曲の再生を行うこととなる（ステップＳ７）。
以下、同様にして歌唱者（ユーザ）の指示の下、カラオケ装置１００は上述した動作（ステップＳ１〜ステップＳ７）を曲の選曲毎に行うこととなる。
【００２６】
［３］実施形態の変形例
［３．１］  第１変形例
上記の音色設定は楽器の種類等の設定の際の画面についてだけ説明したが、その他にもエフェクトの設定やイコライザーの設定等も同様に詳細な設定が可能である。
［３．２］  第２変形例
以上の説明においては、一組のシーケンスデータｅに対応する音色データとして、ユーザ設定音色データｂ及びオリジナル音色データｃがそれぞれ一組の場合についてのみ説明したが、ユーザ設定音色データｂ及びオリジナル音色データｃをそれぞれ複数記憶して、ユーザの指定により選択するように構成することも可能である。
この場合において、同一の曲番号に対応する楽曲について、シーケンスデータと複数の音色データを独立して取り扱うことができるため、様々な音色設定を行って、一見複数の楽曲を演奏するようにみえる場合であっても、シーケンスデータは１組だけ記憶するだけで済み、ハードディスク５における記憶領域や、ＲＡＭ８における記憶領域を必要以上に増大させることがない。
【００２７】
［４］実施形態の効果
以上説明したように、本実施形態によれば、あまりカラオケ装置の装置構成に影響を与えることなく、歌唱者の好みに合わせた音色を詳細に設定し変更しつつ、様々なアレンジの楽曲再生を行うことができる。すなわち、カラオケ演奏の楽器の音色（例えばギターの種類、弦ゲージの選択、弦素材の選択等）について詳細に設定し変更することができるため、個々の楽曲に対して各ユーザ毎にオリジナリティのある楽曲の演奏を楽しむことができる。
この結果、同じ楽曲を歌唱者の個性に合った多様で詳細な音色で演奏できるので、同じ楽曲を何度もリクエストするような場合等であっても、マンネリ化することもない。
【００２８】
また、同一の楽曲で異なる音色設定（異なるアレンジ）を行った場合でも、本実施形態のカラオケ装置によれば、シーケンスデータは同じものを使用することができるので、従来例のように異なる音色設定毎にシーケンスデータを記憶しなければならないことにより、複数のシーケンスデータを記憶する必要がなくなり、ハードディスクやＲＡＭの記憶容量を削減できる。
また、ユーザが携帯できる個人カード１に登録曲番号ａに対応してユーザ設定音色データｂを記憶しているので、登録曲番号ａに対応したユーザ設定音色データｂを毎回入力する手間が削減でき、ユーザの使い勝手を向上することができる。
【００２９】
【発明の効果】
本発明によれば、歌唱者は同一楽曲に対して多様な音色を設定することができるため、個々の楽曲に対して個人個人のオリジナリティを持った楽曲の演奏を楽しむことができる。これによって、同一の曲が複数回再生された場合であってもマンネリ化することなく、より歌唱者毎の個性に合わせた楽曲演奏を提供することができる。
また、同一楽曲を異なる音色で複数回再生する場合であっても、同一楽曲に対しては記憶したシーケンスデータを利用することができ、ハードディスクやＲＡＭなどの記憶容量を不必要に増大する必要がない。
さらに再生しようとする楽曲を特定するためのデータ及び当該楽曲についての音色を設定するためのデータを予め記憶して、入力することができるため、ユーザは楽曲の再生毎に音色設定のためのデータを入力する必要がなくなり、ユーザの使い勝手を向上させることができる。
【図面の簡単な説明】
【図１】本発明の一実施例の構成を示すブロック図である。
【図２】本発明の一実施例の動作を示すフローチャートである。
【図３】本発明のカラオケ装置の表示部のエディットモードでの音色設定（オーサリング）方法を示す図である。
【符号の説明】
１：登録データ記憶部（個人カード）、２：カードインターフェース、３：制御部５：ハードディスク（ＨＤ）、６：入力部、７：表示部（モニタ）、８：ＲＡＭ、９：音色変更部、１０：音源、ａ：登録曲番号、ｂ：ユーザ設定音色データ、ｃ：オリジナル音色データ、ｄ：初期設定データ、ｅ：シーケンスデータ
【図１】
0003577958.tif 000002
【図２】
0003577958.tif 000003
【図３】
0003577958.tif 000004